(57)【要約】エレベータ装置の遠隔制御を管理する例示的な方法は、整備士によってエレベータ装置が保守を受けているとの指示がある場合に、エレベータ装置の現場から遠隔に位置する全ての装置によってエレベータ装置の運転が制御されることを阻止することを含む。
2014513026.tif 000002
【特許請求の範囲】
【請求項１】
エレベータ装置が整備士によって保守を受けているとの指示がある場合に、エレベータ装置の現場から遠隔に位置する全ての装置によってエレベータ装置の運転が制御されることを阻止することを含むことを特徴とするエレベータ装置の遠隔制御管理方法。
【請求項２】
整備士によってスイッチが手動で操作されたかを確認することを含み、このスイッチが、エレベータ装置が整備士によって保守を受けているとの指示を提供することを特徴とする請求項１に記載のエレベータ装置の遠隔制御管理方法。
【請求項３】
整備士の保守ツールがエレベータ装置の部分と接続されたかを確認することを含み、保守ツールが接続されたことが、エレベータ装置が整備士によって保守を受けているとの指示を提供することを特徴とする請求項１に記載のエレベータ装置の遠隔制御管理方法。
【請求項４】
エレベータ装置の前記部分は、保守ツールと接続されるように設けられたポートを含むことを特徴とする請求項３に記載のエレベータ装置の遠隔制御管理方法。
【請求項５】
エレベータ装置の前記部分は、前記ポートを有する遠隔エレベータ監視装置を含むことを特徴とする請求項４に記載のエレベータ装置の遠隔制御管理方法。
【請求項６】
整備士が通信装置を使用してエレベータ装置の部分と無線通信したかを確認することを含むことを特徴とする請求項１に記載のエレベータ装置の遠隔制御管理方法。
【請求項７】
エレベータ装置の前記部分は、送受信機を含み、この送受信機は、整備士がエレベータ装置の保守を行うことを可能にするように構成された通信装置と通信するように設けられていることを特徴とする請求項６に記載のエレベータ装置の遠隔制御管理方法。
【請求項８】
エレベータ装置の前記部分は、前記送受信機を有する遠隔エレベータ監視装置を含むことを特徴とする請求項７に記載のエレベータ装置の遠隔制御管理方法。
【請求項９】
前記指示が最初に提供されてから予め選択された時間が経過したかを判断し、
前記指示があり、かつ前記時間がまだ経過していない場合に前記の阻止を実行し、
前記指示がまだある場合でも、前記時間が経過した場合に前記の阻止を無効にすることを含むことを特徴とする請求項１に記載のエレベータ装置の遠隔制御管理方法。
【請求項１０】
（ｉ）整備士による前記指示を提供するスイッチの操作、
（ｉｉ）整備士による保守ツールとエレベータ装置の部分との接続、
（ｉｉｉ）整備士による通信装置を使用したエレベータ装置の部分との無線通信の少なくとも１つに応じて前記時間の計時を開始することを特徴とする請求項９に記載のエレベータ装置の遠隔制御管理方法。
【請求項１１】
エレベータ装置が整備士によって保守を受けているとの指示がある場合に、エレベータ装置の現場から遠隔に位置する全ての装置によってエレベータ装置の運転が制御されることを阻止するように設けられた遠隔エレベータ監視装置を有することを特徴とするエレベータ装置。
【請求項１２】
整備士によって手動で操作されるように設けられたスイッチを有し、このスイッチが、エレベータ装置が整備士によって保守を受けているとの指示を提供することを特徴とする請求項１１に記載のエレベータ装置。
【請求項１３】
前記スイッチは、遠隔エレベータ監視装置と関連していることを特徴とする請求項１２に記載のエレベータ装置。
【請求項１４】
保守ツールと接続されるようにエレベータ装置の部分に設けられたポートを有し、整備士による保守ツールと前記ポートとの接続が、エレベータ装置が整備士によって保守を受けているとの指示を提供することを特徴とする請求項１１に記載のエレベータ装置。
【請求項１５】
エレベータ監視装置が、前記ポートを含んでいることを特徴とする請求項１４に記載のエレベータ装置。
【請求項１６】
整備士がエレベータ装置の保守を行うことを可能にするように構成された通信装置と通信するように設けられた送受信機を含み、この送受信機は、前記通信装置から無線送信された通信を受信したことに応じて前記指示を提供することを特徴とする請求項１１に記載のエレベータ装置。
【請求項１７】
遠隔エレベータ監視装置は、前記送受信機を含むことを特徴とする請求項１６に記載のエレベータ装置。
【請求項１８】
遠隔エレベータ監視装置は、
前記指示の開始に応じて予め選択された時間の計時を開始し、
前記指示があり、かつ前記時間が経過していない場合に、エレベータ装置の現場から遠隔に位置する装置によってエレベータ装置の運転が制御されることを阻止し、
前記指示がまだあっても、前記時間が経過した場合に、エレベータ装置から遠隔に位置する装置によってエレベータ装置の運転が制御されることを許可するように前記指示を無効にするよう設けられていることを特徴とする請求項１１に記載のエレベータ装置。
【請求項１９】
遠隔エレベータ監視装置は、
（ｉ）整備士による前記指示を提供するスイッチの手動操作、
（ｉｉ）整備士による保守ツールとエレベータ装置の部分との接続、
（ｉｉｉ）整備士による通信装置を使用したエレベータ装置の部分との無線通信、の少なくとも１つに応じて、前記時間の計時を自動的に開始するように設けられていることを特徴とする請求項１８に記載のエレベータ装置。
【発明の詳細な説明】
【技術分野】
【０００１】
本発明は、エレベータ装置の遠隔制御の管理に関する。
【背景技術】
【０００２】
エレベータ装置は、多くの場合、例えば、エレベータ装置の現場から遠隔の場所に設けられた他の装置と通信する遠隔エレベータ監視装置を含む。遠隔エレベータ監視装置は、例えば、エレベータ装置の運転や状態に関する情報を遠隔に位置する監視センタに提供する。遠隔エレベータ監視装置は、さらに、多くの場合、遠隔に位置する装置がエレベータ装置の運転を制御するためにエレベータ装置に指令や制御信号を提供することを可能とする。
【発明の概要】
【課題を解決するための手段】
【０００３】
エレベータ装置の遠隔制御を管理する例示的な方法は、エレベータ装置が整備士によって保守されているとの指示がある場合に、エレベータ装置の現場から遠隔に位置する全ての装置によってエレベータ装置の運転が制御されることを阻止することを含む。
【０００４】
例示的なエレベータ装置は、エレベータ装置が整備士の保守を受けているとの指示がある場合に、エレベータ装置の現場から遠隔に配置された全ての装置によってエレベータ装置の運転が制御されることを阻止するように設けられた遠隔エレベータ監視装置を含む。
【０００５】
開示された実施例の種々の特徴および利点は、以下の詳細な説明によって当業者に明らかとなる。詳細な説明に付随する図面について、以下に簡単に説明する。
【図面の簡単な説明】
【０００６】
【図１】本発明の実施例に従って設計されたエレベータ装置の選択された部分を示す概略説明図である。
【図２】本発明の実施例に従って設計された例示的な方法の概要を示すフローチャートである。
【発明を実施するための形態】
【０００７】
図１は、エレベータ装置２０の選択された部分を概略的に示す。エレベータかご２２は、周知の方法でエレベータサービスを提供するように設けられている。エレベータ制御装置２４が、エレベータかご２２の移動を制御する。
【０００８】
遠隔エレベータ監視装置２６が、通信ネットワーク２８を介して、エレベータ装置２０と、例示的な遠隔アクセス装置３０などの遠隔に位置する装置と、の通信を可能とする。遠隔エレベータ監視装置２６は、このように遠隔に位置する装置にエレベータ装置２０の種々の動作パラメータや状態に関する情報を提供する。このような遠隔エレベータ監視装置は、当業界で知られている。
【０００９】
例示的な遠隔エレベータ監視装置２６は、遠隔アクセス装置３０がエレベータ装置２０の運転を制御するようにエレベータ装置２０と通信可能であるかを制御する点で他とは異なる。例えば、遠隔エレベータ監視装置２６は、全ての遠隔アクセス装置３０がエレベータかご２２を移動させるためにエレベータ制御装置２４に指令を通信することを選択的に阻止する。遠隔エレベータ監視装置２６は、エレベータ整備士３２がエレベータ装置２０の保守を行っているという指示があるときはいつもこのような通信を阻止する。整備士３２が保守作業を行っているときは、エレベータ装置２０の運転の全ての遠隔制御を制限することが望ましい。
【００１０】
図１の例は、遠隔エレベータ監視装置２６と関連する手動スイッチ（ＭＳ）を含む。整備士３２は、エレベータ装置２０の現場でエレベータ装置２０の保守を開始するときにスイッチ３４を手動で操作する。遠隔エレベータ監視装置２６は、遠隔エレベータ監視装置２６と関連するスイッチ３４の状態を確認する。この例では、スイッチ３４は、遠隔エレベータ監視装置２６と同じ場所にある。整備士３２によって、保守作業中であるという指示を提供する位置にスイッチ３４が手動で操作されると、遠隔エレベータ監視装置２６は、整備士３２によってエレベータ装置２０の保守が行われていることを確認する。換言すると、スイッチ３４は、保守作業が継続中であるとの指示を提供するために整備士３２によって手動で操作される。
【００１１】
図１の例は、さらに、エレベータの保守中に保守ツール３５が本来使用される方法と一致する方法で整備士３２が保守ツール３５を使用したことの検出によって、整備士がエレベータ装置の保守を行っていることを確認する機能を含む。この例では、通信ポート（ＣＰ）３６が、保守ツール３５と接続されるように設けられている。換言すると、整備士３２は、整備士が種々の保守作業を行うことを可能とするように、保守ツール３５と通信ポート３６の間にコネクタを手動でプラグ接続することができる。この例では、遠隔エレベータ監視装置２６は、通信ポート３６との接続があるときはいつでもこれを検出し、保守手順が開始された指示として使用する。このような例の１つでは、スイッチ３４が手動で操作されていない場合でも、遠隔エレベータ監視装置２６は、通信ポート３６との接続を検出することで保守手順が継続中であると判断することができる。
【００１２】
図１の例では、さらに、保守ツール３５を、無線通信信号を受信するように設けられた送受信機３８と無線通信する通信装置とすることも可能である。この例では、遠隔エレベータ監視装置２６は、整備士がエレベータ装置２０の保守を行っている指示として送受信機３８からの信号の受信を使用することができるように送受信機３８と関連している。
【００１３】
いくつかの例は、整備士がエレベータ装置の保守を行っているとの指示を提供するものとして手動スイッチ３４のみを含む。他の例は、エレベータ装置の保守が行われているとの指示を提供するものとして送受信機３８または通信ポートのみを含む。さらに他の例は、遠隔エレベータ監視装置２６によって、整備士がエレベータ装置の保守を行っていることが確認できるように、手動スイッチ３４、通信ポート３６、送受信機３８の２つ以上の組み合わせを含む。
【００１４】
図２は、エレベータ装置の遠隔制御を管理する例示的な方法の概要を示すフローチャート４０である。４２では、エレベータ整備士がエレベータ装置の保守を行っているかを確認する。この確認は、例えば、遠隔エレベータ監視装置２６によってなされる。図２では、手動スイッチが４４で操作されたかを検出することによって、整備士がエレベータ装置の保守を行っていることを確認できる。加えて、例えば、保守ツールからの無線通信の検出または保守ツールとエレベータ装置の通信ポートとの接続の検出によって、４６で保守ツールの存在を検出することができる。
【００１５】
エレベータ整備士がエレベータ装置の保守を行っているとの指示があれば、４８で予め選択された時間が経過したかどうかの判断がなされる。この例では、遠隔エレベータ監視装置２６が、整備士３２がエレベータ装置の保守を開始する予定であるとの指示を受信したことに応じて計時を開始する。一例では、予め選択された時間は、通常の就業時間と等しく、８時間か９時間ぐらいである。この特徴により、例えば、整備士３２が保守作業の開始時にスイッチ３４を手動で操作してから、保守手順が完了したことを指示するためにスイッチ３４をリセットせずにエレベータ装置の現場を立ち去った状況に対処することが可能になる。
【００１６】
エレベータ装置が運転中であるとの指示があり、予め選択された時間が経過していない場合には、遠隔エレベータ監視装置２６は、５０でエレベータ運転の遠隔制御を阻止する。いくつかの例では、上記の指示によって、整備士が保守手順を開始する前に開始された可能性のある進行中の全ての遠隔制御が中断される。換言すると、エレベータ装置の現在の状態に関係なく、整備士による保守手順の開始時あるいは継続中はいつでもエレベータ運転の遠隔制御を阻止する判断を行うことができる。一例では、遠隔エレベータ監視装置２６は、通信ネットワーク２８を介して遠隔アクセス装置３０から受信される指令信号がエレベータ装置の運転に影響を及ぼさないように、このような指令信号を全てフィルタで取り除く。
【００１７】
図２では、４８で時間が経過している場合、５２でエレベータ運転の遠隔制御が許可される。この特徴により、エレベータ整備士がエレベータ装置の保守を完了したか、翌日に作業に戻るために保守手順を少なくとも一時的に中断したと思われる十分な時間の経過後に、遠隔エレベータ監視装置２６を介した通常の遠隔通信を回復することが可能になる。もちろん、エレベータ整備士が翌日戻ると、遠隔エレベータ監視装置２６は、保守手順を行う予定を示す新たな指示を整備士から受信する。この時点では、遠隔エレベータ監視装置２６は、予め選択された時間のタイマをリセットし、整備士が時間の経過前に保守手順が完了したとの指示を提供しない限り、少なくとも選択された時間にわたってエレベータ装置の遠隔制御を阻止する。
【００１８】
一例では、５２として示すステップは、所定の時間において遠隔制御装置の数を制限することを含む。例えば、遠隔制御指令の認可された装置（ｓｏｕｒｃｅ）の１つ（例えば、遠隔アクセス装置３０）が、エレベータ運転を制御している場合、他の遠隔制御装置のエレベータ装置を制御する機能は制限されるか完全に阻止される。いくつかの例では、一度に１つの遠隔アクセス装置のみが使用可能である。他の例では、１つの遠隔アクセス装置のみが指令を発するが、他の遠隔アクセス装置がエレベータ装置の性能を監視するように同時に使用可能である。
【００１９】
例示的な遠隔エレベータ監視装置２６は、遠隔アクセス装置によるエレベータ装置の運転の制御が許可されるかどうかを制御するためにエレベータ装置に関する状態情報を保持する。遠隔エレベータ監視装置２６は、整備士によってエレベータ装置が保守を受けていることを確認した場合は、いつでもエレベータ装置の遠隔制御を阻止する。
【００２０】
上述の説明は、限定的なものではなく、例示的なものである。開示された実施例の変更や改良は、当業者には明らかであり、本発明の趣旨から必ずしも逸脱するものではない。本発明に与えられる法的保護の範囲は、以下の請求項を検討することによってのみ判断される。
【図１】
2014513026.tif 000003
【図２】
2014513026.tif 000004
【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
エレベータ装置が整備士によって保守を受けているとの指示がある場合に、エレベータ装置の現場から遠隔に位置する全ての装置によってエレベータ装置の運転が制御されることを阻止し、
前記指示が最初に提供されてから予め選択された時間が経過したかを判断し、
前記指示があり、かつ前記時間がまだ経過していない場合に前記の阻止を実行し、
前記指示がまだある場合でも、前記時間が経過した場合に前記の阻止を無効にすることを含むことを特徴とするエレベータ装置の遠隔制御管理方法。
【請求項２】
整備士によってスイッチが手動で操作されたかを確認することを含み、このスイッチが、エレベータ装置が整備士によって保守を受けているとの指示を提供することを特徴とする請求項１に記載のエレベータ装置の遠隔制御管理方法。
【請求項３】
整備士の保守ツールがエレベータ装置の部分と接続されたかを確認することを含み、保守ツールが接続されたことが、エレベータ装置が整備士によって保守を受けているとの指示を提供することを特徴とする請求項１に記載のエレベータ装置の遠隔制御管理方法。
【請求項４】
エレベータ装置の前記部分は、保守ツールと接続されるように設けられたポートを含むことを特徴とする請求項３に記載のエレベータ装置の遠隔制御管理方法。
【請求項５】
エレベータ装置の前記部分は、前記ポートを有する遠隔エレベータ監視装置を含むことを特徴とする請求項４に記載のエレベータ装置の遠隔制御管理方法。
【請求項６】
整備士が通信装置を使用してエレベータ装置の部分と無線通信したかを確認することを含むことを特徴とする請求項１に記載のエレベータ装置の遠隔制御管理方法。
【請求項７】
エレベータ装置の前記部分は、送受信機を含み、この送受信機は、整備士がエレベータ装置の保守を行うことを可能にするように構成された通信装置と通信するように設けられていることを特徴とする請求項６に記載のエレベータ装置の遠隔制御管理方法。
【請求項８】
エレベータ装置の前記部分は、前記送受信機を有する遠隔エレベータ監視装置を含むことを特徴とする請求項７に記載のエレベータ装置の遠隔制御管理方法。
【請求項９】
（ｉ）整備士による前記指示を提供するスイッチの操作、
（ｉｉ）整備士による保守ツールとエレベータ装置の部分との接続、
（ｉｉｉ）整備士による通信装置を使用したエレベータ装置の部分との無線通信の少なくとも１つに応じて前記時間の計時を開始することを特徴とする請求項１に記載のエレベータ装置の遠隔制御管理方法。
【請求項１０】
遠隔エレベータ監視装置を有するエレベータ装置であって、この遠隔エレベータ監視装置は、
エレベータ装置が整備士によって保守を受けているとの指示がある場合に、エレベータ装置の現場から遠隔に位置する全ての装置によってエレベータ装置の運転が制御されることを阻止し、
前記指示の開始に応じて予め選択された時間の計時を開始し、
前記指示があり、かつ前記時間が経過していない場合に、エレベータ装置の現場から遠隔に位置する装置によってエレベータ装置の運転が制御されることを阻止し、
前記指示がまだあっても、前記時間が経過した場合に、エレベータ装置から遠隔に位置する装置によってエレベータ装置の運転が制御されることを許可するように前記指示を無効にするよう設けられていることを特徴とするエレベータ装置。
【請求項１１】
整備士によって手動で操作されるように設けられたスイッチを有し、このスイッチが、エレベータ装置が整備士によって保守を受けているとの指示を提供することを特徴とする請求項１０に記載のエレベータ装置。
【請求項１２】
前記スイッチは、遠隔エレベータ監視装置と関連していることを特徴とする請求項１１に記載のエレベータ装置。
【請求項１３】
保守ツールと接続されるようにエレベータ装置の部分に設けられたポートを有し、整備士による保守ツールと前記ポートとの接続が、エレベータ装置が整備士によって保守を受けているとの指示を提供することを特徴とする請求項１０に記載のエレベータ装置。
【請求項１４】
エレベータ監視装置が、前記ポートを含んでいることを特徴とする請求項１３に記載のエレベータ装置。
【請求項１５】
整備士がエレベータ装置の保守を行うことを可能にするように構成された通信装置と通信するように設けられた送受信機を含み、この送受信機は、前記通信装置から無線送信された通信を受信したことに応じて前記指示を提供することを特徴とする請求項１０に記載のエレベータ装置。
【請求項１６】
遠隔エレベータ監視装置は、前記送受信機を含むことを特徴とする請求項１５に記載のエレベータ装置。
【請求項１７】
遠隔エレベータ監視装置は、
（ｉ）整備士による前記指示を提供するスイッチの手動操作、
（ｉｉ）整備士による保守ツールとエレベータ装置の部分との接続、
（ｉｉｉ）整備士による通信装置を使用したエレベータ装置の部分との無線通信、の少なくとも１つに応じて、前記時間の計時を自動的に開始するように設けられていることを特徴とする請求項１０に記載のエレベータ装置。
【国際調査報告】
2014513026.tif 000005
2014513026.tif 000006